(57)【要約】【課題】室外機の日除けにおいて、風通しを確保しつつ、種々の日射角度に対応し、しかも、構造が複雑化するのを抑制する。【解決手段】室外機の日除け（１０）は、下段板部材（１Ａ）と、上段板部材（１Ｂ）と、を備える。下段板部材（１Ａ）は、複数の下段通気口（３Ａ）を有し、下段通気口（３Ａ）と日光を遮る下段遮光部（４Ａ）とが少なくとも一方向（Ｈ１）に沿って交互に並ぶように構成されている。上段板部材（１Ｂ）は、複数の上段通気口（３Ｂ）を有し、上段通気口（３Ｂ）と日光を遮る上段遮光部（４Ｂ）とが一方向（Ｈ１）に沿って交互に並ぶように構成されている。下段板部材（１Ａ）及び上段板部材（１Ｂ）の少なくとも一方は、上下方向において段階的に位置調節可能である。下段通気口（３Ａ）と上段通気口（３Ｂ）の相対位置を水平方向に調節可能である。【選択図】図１
2016011817.tif 000002
【特許請求の範囲】
【請求項１】
室外機（１００）の上方において前記室外機（１００）を覆うように配置される下段板部材（１Ａ）と、
前記下段板部材（１Ａ）の上方において前記下段板部材（１Ａ）に沿って配置される上段板部材（１Ｂ）と、を備え、
前記下段板部材（１Ａ）は、複数の下段通気口（３Ａ）を有し、前記下段通気口（３Ａ）と日光を遮る下段遮光部（４Ａ）とが少なくとも一方向（Ｈ１）に沿って交互に並ぶように構成されており、
前記上段板部材（１Ｂ）は、複数の上段通気口（３Ｂ）を有し、前記上段通気口（３Ｂ）と日光を遮る上段遮光部（４Ｂ）とが前記一方向（Ｈ１）に沿って交互に並ぶように構成されており、
前記下段板部材（１Ａ）及び前記上段板部材（１Ｂ）の少なくとも一方は、上下方向において段階的に位置調節可能であり、
前記下段通気口（３Ａ）と前記上段通気口（３Ｂ）の相対位置を水平方向に調節可能である室外機の日除け。
【請求項２】
前記複数の下段通気口（３Ａ）のピッチと前記複数の上段通気口（３Ｂ）のピッチは同じである、請求項１に記載の室外機の日除け。
【請求項３】
下段通気口（３Ａ）と上段通気口（３Ｂ）は同じ形で且つ同じ大きさである、請求項２に記載の室外機の日除け。
【請求項４】
前記下段板部材（１Ａ）において、前記下段通気口（３Ａ）と前記下段遮光部（４Ａ）とが前記一方向（Ｈ１）に沿って交互に並んで構成される列が、前記一方向（Ｈ１）に直交する方向（Ｈ２）に複数本並んでおり、
前記上段板部材（１Ｂ）において、前記上段通気口（３Ｂ）と前記上段遮光部（４Ｂ）とが前記一方向（Ｈ１）に沿って交互に並んで構成される列が、前記一方向（Ｈ１）に直交する方向（Ｈ２）に複数本並んでいる、請求項１〜３の何れか１項に記載の室外機の日除け。
【請求項５】
前記下段板部材（１Ａ）及び前記上段板部材（１Ｂ）のそれぞれが正方形であり、
前記下段板部材（１Ａ）において、前記列の本数が偶数であり、各列における前記下段通気口（３Ａ）の数が偶数であり、
前記上段板部材（１Ｂ）において、前記列の本数が偶数であり、各列における前記上段通気口（３Ｂ）の数が偶数である、請求項４に記載の室外機の日除け。
【請求項６】
前記下段板部材（１Ａ）及び前記上段板部材（１Ｂ）の少なくとも一方は、スペーサ（６）によって水平方向において段階的に位置調節可能に構成されている、請求項１〜５の何れか１項に記載の室外機の日除け。
【請求項７】
前記室外機は、上部に空気吹出口を備え、前記空気吹出口から上方に向かって空気が吹き出されるように構成されている、請求項１〜６の何れか１項に記載の室外機の日除け。
【発明の詳細な説明】
【技術分野】
【０００１】
本発明は、空気調和機の室外機の日除けに関する。
【背景技術】
【０００２】
空気調和機の冷房運転時において、室外機に日光が当たると、その熱に起因して冷媒の高圧圧力（冷媒の凝縮温度）が上昇することがある。このような高圧圧力の上昇を抑制して冷房運転の効率を改善するために、空気調和機の室外機の日除けが用いられている（例えば特許文献１）。
【０００３】
また、特許文献２には、フェンス、窓用目隠し、窓用日除け、衝立て、間仕切りなどの用途に使用される無双金網盤が開示されている。
【先行技術文献】
【特許文献】
【０００４】
【特許文献１】特開昭６１−２７４６２号公報
【特許文献２】実公昭６２−３３８７３号公報
【発明の概要】
【発明が解決しようとする課題】
【０００５】
ところで、屋外では強い風が吹くこともあるので、室外機の日除けは風通しがよいことが必要である。室外機がビルの屋上などの高所に設置される場合には、特に強い風が室外機の近傍を流れることがある。また、日射角度（日光の入射角度）は地域や時期によって異なるので、室外機の日除けは、種々の日射角度に対応可能であることも必要になる。さらに、これらの風通しと日射角度の対応範囲の広さとを両立させるうえで日除けの構造が複雑化することは、例えば製造コストを低減するために避けなければならない。
【０００６】
本発明の目的は、風通しを確保しつつ、種々の日射角度に対応可能であり、しかも、構造が複雑化するのを抑制できる室外機の日除けを提供することである。
【課題を解決するための手段】
【０００７】
本発明の室外機の日除けは、室外機（１００）の上方において前記室外機（１００）を覆うように配置される下段板部材（１Ａ）と、前記下段板部材（１Ａ）の上方において前記下段板部材（１Ａ）に沿って配置される上段板部材（１Ｂ）と、を備える。前記下段板部材（１Ａ）は、複数の下段通気口（３Ａ）を有し、前記下段通気口（３Ａ）と日光を遮る下段遮光部（４Ａ）とが少なくとも一方向（Ｈ１）に沿って交互に並ぶように構成されている。前記上段板部材（１Ｂ）は、複数の上段通気口（３Ｂ）を有し、前記上段通気口（３Ｂ）と日光を遮る上段遮光部（４Ｂ）とが前記一方向（Ｈ１）に沿って交互に並ぶように構成されている。前記下段板部材（１Ａ）及び前記上段板部材（１Ｂ）の少なくとも一方は、上下方向において段階的に位置調節可能であり、前記下段通気口（３Ａ）と前記上段通気口（３Ｂ）の相対位置を水平方向に調節可能である。
【０００８】
本発明では、下段板部材（１Ａ）には複数の下段通気口（３Ａ）が設けられており、上段板部材（１Ｂ）にも複数の上段通気口（３Ｂ）が設けられているので、下段通気口（３Ａ）と上段通気口（３Ｂ）を通じて上下方向に風がスムーズに通過する。これにより、良好な風通しを確保することができる。
【０００９】
日射角度の最大値は９０度よりも小さい範囲であり、日光は上下方向に対して傾斜した傾斜方向に向いて上段板部材（１Ｂ）に入射する。本発明では、下段板部材（１Ａ）及び上段板部材（１Ｂ）のそれぞれでは、通気口と遮光部とが一方向に沿って交互に並んでいる。したがって、日射角度に応じて下段板部材（１Ａ）と上段板部材（１Ｂ）の相対位置を上下方向Ｖと水平方向に調節することによって、上段通気口（３Ｂ）を傾斜方向に通過した日光の一部又は全部を下段遮光部（４Ａ）によって遮ることができる。これにより、種々の日射角度に応じて効果的に日陰を形成することができるので、冷房運転の効率を改善することができる。
【００１０】
ここで、下段板部材（１Ａ）と上段板部材（１Ｂ）の相対位置を上下方向のみに位置調節する場合には、板部材（１Ａ，１Ｂ）の上下方向の相対移動距離が大きくなる。また、下段通気口（３Ａ）と上段通気口（３Ｂ）の相対位置を水平方向のみに調節する場合には、板部材の水平方向の相対移動距離が大きくなる。
【００１１】
本発明では、下段板部材（１Ａ）及び上段板部材（１Ｂ）の少なくとも一方を、上下方向において位置調節可能であり、しかも、下段通気口（３Ａ）と上段通気口（３Ｂ）の相対位置を水平方向にも調節可能である。したがって、本発明では、上下方向への相対移動距離と水平方向への相対移動距離が大きくなるのを抑制しつつ、日光を効果的に遮ることができる。
【００１２】
しかも、本発明では、上下方向において板部材同士の位置を段階的に調節可能に構成されているので、日除けの構造が複雑化するのを抑制することができる。段階的な位置調節手段の一例を挙げると、例えば、板部材を支える支柱（５）などの支持部材において、上下方向に間隔をあけて複数の貫通孔を設け、所望の高さに近い貫通孔を選択して、その孔にボルトなどの固定手段を用いて板部材を固定することができる。
【００１３】
前記室外機の日除けにおいて、前記複数の下段通気口（３Ａ）のピッチと前記複数の上段通気口（３Ｂ）のピッチは同じであるのが好ましい。
【００１４】
この構成では、下段板部材（１Ａ）と上段板部材（１Ｂ）の相対位置を調節したときに、下段通気口（３Ａ）とこれに対応する上段通気口（３Ｂ）の相対位置を、板部材全体において同じように変えることができる。これにより、遮光の度合いを調節しやすくなる。
【００１５】
前記複数の下段通気口（３Ａ）のピッチと前記複数の上段通気口（３Ｂ）のピッチが同じである場合において、下段通気口（３Ａ）と上段通気口（３Ｂ）は同じ形で且つ同じ大きさであるのが好ましい。この場合には、隣り合う下段通気口（３Ａ）同士の間隔と隣り合う上段通気口（３Ｂ）同士の間隔も同じになる。したがって、下段板部材（１Ａ）と上段板部材（１Ｂ）の相対位置を調節したときに、上下の対応する通気口同士の全ての組において、遮光の度合いがほぼ同じになるように調節することができる。
【００１６】
前記室外機の日除けでは、前記下段板部材（１Ａ）において、前記下段通気口（３Ａ）と前記下段遮光部（４Ａ）とが前記一方向（Ｈ１）に沿って交互に並んで構成される列が、前記一方向（Ｈ１）に直交する方向（Ｈ２）に複数本並んでおり、前記上段板部材（１Ｂ）において、前記上段通気口（３Ｂ）と前記上段遮光部（４Ｂ）とが前記一方向（Ｈ１）に沿って交互に並んで構成される列が、前記一方向（Ｈ１）に直交する方向（Ｈ２）に複数本並んでいる形態を例示できる。
【００１７】
前記室外機の日除けにおいて、前記下段板部材（１Ａ）及び前記上段板部材（１Ｂ）のそれぞれが正方形であり、前記下段板部材（１Ａ）において、前記列の本数が偶数であり、各列における前記下段通気口（３Ａ）の数が偶数であり、前記上段板部材（１Ｂ）において、前記列の本数が偶数であり、各列における前記上段通気口（３Ｂ）の数が偶数であるのが好ましい。
【００１８】
この構成では、下段通気口（３Ａ）と上段通気口（３Ｂ）の相対位置を水平方向に調節するときに、例えば後述する図１３に示すように板部材を９０度回転させるという調節手段を採用することができる。
【００１９】
前記室外機の日除けに於いて、前記下段板部材（１Ａ）及び前記上段板部材（１Ｂ）の少なくとも一方は、スペーサ（６）によって水平方向において段階的に位置調節可能に構成されていてもよい。
【００２０】
この構成では、スペーサ（６）を板部材の縁に沿って配置するという簡単な構造で、下段通気口（３Ａ）と上段通気口（３Ｂ）の相対位置を水平方向に調節することができる。
【００２１】
前記室外機の日除けは、前記室外機が上部に空気吹出口を備え、前記空気吹出口から上方に向かって空気が吹き出されるように構成されている場合に好適である。すなわち、室外機の天面に対向するように日除けの板部材が配置され、その板部材に向かって室外機から上方に空気が吹き出されるので、この場合には、風通しが良好な前記日除けが有効である。
【発明の効果】
【００２２】
本発明の室外機の日除けによれば、風通しを確保しつつ、種々の日射角度に対応可能であり、しかも、構造が複雑化するのを抑制できる。
【図面の簡単な説明】
【００２３】
【図１】本発明の実施形態に係る室外機の日除けを示す斜視図である。
【図２】実施形態の日除けを設置した状態を示す斜視図である。
【図３】実施形態の日除けを用いることによる効果を示すモリエル線図である。
【図４】前記日除けを示す側面図である。
【図５】前記日除けにおける板部材を示す平面図である。
【図６】前記板部材の一部を拡大した平面図である。
【図７】前記日除けにおいて、遮光と気流の流れを示す概略図である。
【図８】（Ａ）〜（Ｄ）は、前記日除けにおいて下段板部材と上段板部材の相対位置を変えたときに日光が遮られる構造を説明する概略図である。
【図９】前記板部材とこの板部材を支柱に固定するための固定手段を示す概略の平面図である。
【図１０】（Ａ），（Ｂ）は、前記板部材を水平方向に段階的に位置調整する第１の位置調節手段を示す平面図である。
【図１１】前記板部材を水平方向に段階的に位置調整する第２の位置調節手段を示す斜視図である。
【図１２】前記第２の位置調節手段を示す断面図である。
【図１３】前記板部材を水平方向に段階的に位置調整する第３の位置調節手段を示す平面図である。
【図１４】（Ａ）は、一対の板部材の上下方向の相対位置を変えたときの日陰領域の変化を示す断面図である。（Ｂ）は、下段板部材の縁に設けるスペーサと上段板部材の縁に設けるスペーサとが平面視で同じ位置に配置された状態を示す平面図である。（Ｃ）は、下段板部材の縁に設けるスペーサの位置を変えることによって、下段通気口と上段通気口の相対位置を水平方向に調節した状態を示す平面図である。
【図１５】平面視において板部材に対する太陽光の入射角度が変わると、上段板部材の遮光部によって下段板部材に形成される日陰の領域が変化する様子を示す概略図である。
【図１６】本実施形態における遮光方法の具体例を示す図である。
【図１７】本実施形態における遮光方法の具体例を示す図である。
【図１８】（Ａ）は、本実施形態の変形例１における板部材を示す平面図であり、（Ｂ）は、本実施形態の変形例２における板部材を示す平面図であり、（Ｃ）は、本実施形態の変形例３における板部材を示す平面図である。
【図１９】前記板部材の寸法調節をする手順を説明する概略図である。
【発明を実施するための形態】
【００２４】
以下、図面を参照しながら本発明の一実施形態に係る室外機の日除け１０について説明する。
【００２５】
［日除けの全体構造］
図１は、本発明の実施形態に係る室外機の日除け１０を示す斜視図である。図２は、日除け１０を設置した状態を示す斜視図である。図面において、第１方向Ｈ１は、水平方向であり、第２方向Ｈ２は、水平方向であって第１方向Ｈ１に直交する方向である。方向Ｖは、上下方向（鉛直方向）を示している。
【００２６】
図１及び図２に示す本実施形態の日除け１０は、空気調和機の省エネルギー化を図るために空気調和機の室外機１００に対して設置される。空気調和機は、室外機１００と図略の室内機とこれらを接続する連絡配管とを備える。空気調和機は、蒸気圧縮式の冷凍サイクルを行う冷媒回路を備える。図２に示す具体例では、室外機１００は、ケースの側面に空気吸込口１０２が形成され、ケースの天面に空気吹出口１０１が形成されているが、このような形態に限られない。図２に示す室外機１００のようにケースの天面から上方に空気が吹き出されるタイプでは、室外機１００の天面に対向するように日除け１０の板部材１が配置され、その板部材１に向かって室外機１００から上方に空気が吹き出されるので、風通しが良好な本実施形態の日除け１０が有効である。
【００２７】
図１及び図２に示す日除け１０の遮光機能により、室外機１００の周辺を図２に一点鎖線で示すような日陰にすることができる。室外機１００の周辺が日陰になることにより、室外機１００の周辺の気温が低下する。周辺の気温が低下することにより、図３のモリエル線図に示すように、本実施形態の空気調和機の冷媒回路において、日除けを備えていない参考例に比べて、高圧圧力が低下する。これにより、空気調和機の消費電力を低減することができる。
【００２８】
本実施形態の日除け１０は、一対の板部材１と、一対の板部材１を支持する複数の支柱５（支持部材５）とを備える。一対の板部材１は、下段板部材１Ａ（下段パレット１Ａ）と上段板部材１Ｂ（上段パレット１Ｂ）とによって構成されている。下段板部材１Ａは、室外機１００の上方において室外機１００を覆うように配置される。上段板部材１Ｂは、下段板部材１Ａの上方において下段板部材１Ａに沿って配置される。本実施形態では、上段板部材１Ｂは、下段板部材１Ａに対して平行に配置されているが、これに限られず、下段板部材１Ａに対して多少傾斜していてもよい。また、本実施形態では、下段板部材１Ａと上段板部材１Ｂは、水平方向に平行に配置されているが、これに限られず、水平方向に対して多少傾斜していてもよい。
【００２９】
図１に示すように、１枚の下段板部材１Ａと１枚の上段板部材１Ｂとは、例えば４本の支柱５によって支持することができるが、支柱５の数はこれに限られない。図２に示すように、並設された複数の室外機１００を日除け１０によってカバーする場合には、１枚の下段板部材１Ａと１枚の上段板部材１Ｂとによって構成される板部材ユニットを水平方向に複数並設してもよい。この場合には、図２に示すように支柱５の本数も必要に応じて増設する。図２に示す具体例では、各板部材ユニットに対して４本の支柱５が用いられている。
【００３０】
下段板部材１Ａは、複数の下段通気口３Ａを有している（図５参照）。下段板部材１Ａでは、下段通気口３Ａと、日光を遮る下段遮光部４Ａとが水平方向に沿って交互に並んでいる。上段板部材１Ｂは、複数の上段通気口３Ｂを有している。上段板部材１Ｂでは、上段通気口３Ｂと、日光を遮る上段遮光部４Ｂとが水平方向に沿って交互に並んでいる。
【００３１】
上記のように上下に互いに対向する一対の板部材１Ａ，１Ｂのそれぞれに、複数の通気口３Ａ，３Ｂが設けられている。しかも、複数の上段通気口３Ｂは、複数の下段通気口３Ａに対応するように配置されているので、下段通気口３Ａと上段通気口３Ｂを通じて上下方向Ｖに風がスムーズに通過することができる。これにより、良好な風通しを確保することができる。各上段通気口３Ｂは、対応する下段通気口３Ａに対して上下方向Ｖに完全に重なるように配置される場合だけでなく、対応する下段通気口３Ａに対して上下方向Ｖに一部が重なるように配置される場合もある。また、各上段通気口３Ｂは、下段通気口３Ａに対して上下方向Ｖに重ならないが、平面視で水平方向に隣り合うように配置される場合もある。
【００３２】
なお、以下の説明では、下段板部材１Ａと上段板部材１Ｂに共通する説明においては、単に板部材１と表現することがあり、下段通気口３Ａと上段通気口３Ｂに共通する説明においては、単に通気口３と表現することがあり、下段遮光部４Ａと上段遮光部４Ｂに共通する説明においては、単に遮光部４と表現することがある。
【００３３】
日射角度θ（図４参照）の最大値は１年を通じて９０度よりも小さい値であり、日光は上下方向Ｖに対して傾斜した傾斜方向に向いて上段板部材１Ｂに入射する。本実施形態では、下段板部材１Ａ及び上段板部材１Ｂのそれぞれにおいて通気口３と遮光部４とが水平方向に沿って交互に並んでいる。したがって、上下方向Ｖと水平方向の少なくとも一方において、下段板部材１Ａと上段板部材１Ｂの相対位置を調節することによって、日光を効果的に遮ることができる。
【００３４】
以上が本実施形態の日除け１０の概要であるが、以下では、本実施形態の日除け１０についてさらに詳細に説明する。
【００３５】
［板部材の構造］
図５は、本実施形態の日除け１０における板部材１を示す平面図であり、図６は、板部材１の一部を拡大した平面図である。本実施形態では、下段板部材１Ａと上段板部材１Ｂのそれぞれは、図５及び図６に示す構造を有している。すなわち、下段板部材１Ａと上段板部材１Ｂは同じ構造を有している。ただし、下段板部材１Ａと上段板部材１Ｂは互いに異なる構造を有していてもよい。
【００３６】
図１及び図５に示すように各板部材１は、扁平な平板状の形状を有している。本実施形態では、各板部材１の形状は、平面視で矩形であり、より具体的には正方形である。ただし、後述する図１８（Ａ）に示す変形例１のように各板部材１の形状は、正方形ではなく例えば長方形などの他の形状であってもよい。図１及び図２に示す具体例では、各板部材１は、例えば１辺が１５００ｍｍの正方形であるが、板部材１の寸法はこれに限られるものではない。
【００３７】
図５及び図６に示す本実施形態では、複数の下段通気口３Ａは、縦横（第１方向Ｈ１と第２方向Ｈ２）に升目状に設けられている。各板部材１は、いわゆる千鳥格子状の形状を有している。具体的には、下段板部材１Ａにおいて、下段通気口３Ａと下段遮光部４Ａとが第１方向Ｈ１に沿って交互に並んで構成される列が、第２方向Ｈ２に複数本並んでいる。同様に、複数の上段通気口３Ｂは、縦横に升目状に設けられている。具体的には、上段板部材１Ｂにおいて、上段通気口３Ｂと上段遮光部４Ｂとが第１方向Ｈ１に沿って交互に並んで構成される列が、第２方向Ｈ２に複数本並んでいる。下段板部材１Ａにおいては、下段通気口３Ａと下段遮光部４Ａとは第２方向Ｈ２においても交互に並んでおり、上段板部材１Ｂにおいては、上段通気口３Ｂと上段遮光部４Ｂとは第２方向Ｈ２においても交互に並んでいる。
【００３８】
本実施形態では、各板部材１において、複数の通気口３は同じ形状を有しており、複数の遮光部４は同じ形状を有しているが、これに限られない。複数の通気口３は、２種類以上の異なる形状のものが含まれていてもよく、複数の遮光部４は、２種類以上の異なる形状のものが含まれていてもよい。
【００３９】
本実施形態では、各通気口３の形状は正方形である。ただし、後述する図１８（Ｂ），（Ｃ）に示す変形例２，３のように通気口３の形状が正方形ではなく、長方形などの他の形状であってもよい。また、本実施形態では、各遮光部４の形状は正方形である。ただし、後述する図１８（Ｂ），（Ｃ）に示す変形例２，３のように遮光部４の形状が正方形ではなく、長方形などの他の形状であってもよい。
【００４０】
また、本実施形態では、通気口３と遮光部４の大きさがほぼ同じであるが、これに限られず、例えば遮光部４が通気口３よりも大きくてもよい。具体的には、図６に示すように、各通気口３は、一辺の長さがＸの正方形であり、各遮光部４は、一辺の長さがＸの正方形である。本実施形態では、下段通気口３Ａと上段通気口３Ｂは同じ形で且つ同じ大きさである。
【００４１】
本実施形態では、図５に示すように、板部材１では、第１方向Ｈ１において、複数の通気口３のピッチＰ１が一定であり、第２方向Ｈ２において、複数の通気口３のピッチＰ２が一定である。本実施形態では、ピッチは、１つの通気口３の長さと１つの遮光部４の長さとを足した長さである。また、本実施形態では、複数の下段通気口３ＡのピッチＰ１，Ｐ２と複数の上段通気口３ＢのピッチＰ１，Ｐ２は同じである。
【００４２】
本実施形態では、下段板部材１Ａにおける下段通気口３Ａの数と上段板部材１Ｂにおける上段通気口３Ｂの数が同じであるが、これに限られず、必ずしも厳密に同じでなくてもよい。同様に、下段板部材１Ａにおける下段遮光部４Ａの数と上段板部材１Ｂにおける上段遮光部４Ｂの数が同じであるが、これに限られず、必ずしも厳密に同じでなくてもよい。
【００４３】
図５に示す具体例では、各板部材１には縦横３０マスの升目が形成されている。言い換えると、各板部材１は、３０列×３０行の縦横の升目を有する。上述したように板部材１が例えば１辺１５００ｍｍの正方形である場合には、各マスは１辺が約５０ｍｍの正方形となる。すなわち、各通気口３は１辺が約５０ｍｍの正方形であり、各遮光部４は１辺が約５０ｍｍの正方形となる。ただし、板部材１に設けられる升目の数、及び各マスの大きさは、上記の数値に限られるものではなく、種々の値を採用することができる。
【００４４】
なお、後述するような水平方向の位置調節のうち、第３の位置調節手段の位置調節を可能にするという観点では、各板部材１の形状が正方形で、各マスの形状が正方形であり、各板部材１の升目の数（升目の総数）が４の倍数であるのが好ましい。
【００４５】
図６に示すように、各板部材１は、筋材７が格子状に組み合わせられたような構造を有している。各列の複数の升目において、遮光可能な材料によって形成されて遮光部４を構成する蓋が一つおきに配置されたような構造を有する。隣同士の列は蓋の位置が互いに一つずれている。４つの縁には、側面ガイド材１１（図１２参照）が設けられていてもよい。板部材１は、樹脂などの材料を用いて一体成形されるのが好ましいが、複数の部材を別々に成形した後、これらを接合することによって形成されていてもよい。
【００４６】
［一対の板部材による遮光と風通し］
次に、一対の板部材１による遮光と風通しについて説明する。図７は、日除け１０において、遮光状態と気流の流れる状態を示す概略図である。図７は、下段板部材１Ａと上段板部材１Ｂの一部を拡大した断面図である。図７に示す状態では、下段板部材１Ａの下段通気口３Ａと、これに対応する上段板部材１Ｂの上段通気口３Ｂとが、平面視したときに完全に重なる位置（以下、「基本位置」という。）にある。
【００４７】
各通気口３の１辺の長さをＸとし、板部材１Ａ，１Ｂ同士の間隔をＬとし、日光の入射角をθとする。これらの関係が「ｔａｎθ＝Ｌ／Ｘ」を満たすときには、図７に示すように、日光のほぼ全量が下段板部材１Ａの遮蔽部４Ａと上段板部材１Ｂの遮蔽部４Ｂによって遮られる。
【００４８】
そして、図７に示すように下段通気口３Ａとこれに対応する上段通気口３Ｂとが基本位置にあるときには、通気口３同士が上下方向Ｖに重なり合う面積が最も大きくなるので、風通しの点でも最もよくなる。
【００４９】
しかし、日光の入射角度θは、地域によって様々であり、また、時期によっても様々である。例えば図８（Ａ）に示す基本位置のときに、入射角度θの値によっては日光を完全に遮ることができず、一部の日光が下段板部材１Ａの下段通気口３Ａを通過して室外機１００に直に当たる場合がある。このような場合には、遮光方法として、図８（Ｂ）〜（Ｄ）に示すように主に３通りの対応が考えられる。
【００５０】
図８（Ｂ）は、何れの板部材１も水平方向には移動させず、一対の板部材１のうちの少なくとも一方を上下方向Ｖに移動させて互いの板部材１の間隔を調節した状態を示している。図８（Ｃ）は、何れの板部材１も上下方向Ｖには移動させず、一対の板部材１のうちの少なくとも一方を水平方向（例えば第１方向Ｈ１）に移動させて、一対の板部材１の水平方向の相対位置を調節した状態を示している。図８（Ｄ）は、一対の板部材１のうちの少なくとも一方を、上下方向Ｖと水平方向の両方に移動させて、一対の板部材１の間隔と水平方向の相対位置を調節した状態を示している。
【００５１】
図８（Ｂ）〜（Ｄ）の何れの調節方法であっても、入射角度θの日光をほぼ遮る状態にすることができる。しかし、図８（Ｂ）のように上下方向Ｖだけに位置調節する場合には、板部材１の上下方向Ｖの相対移動距離が大きくなる。この場合、日除け１０において、上下方向Ｖの調節可能範囲を予め大きく設計しておく必要がある。具体的には、例えば支柱５の長さを大きくしたり、後述する上下方向の位置調節手段の調節可能範囲を大きくしたりする必要がある。
【００５２】
また、図８（Ｃ）のように水平方向だけに位置調節する場合には、板部材１の水平方向の相対移動距離が大きくなる。この場合、日除け１０において、水平方向の調節可能範囲を予め大きく設計しておく必要がある。また、図８（Ｃ）に示すように、一対の板部材１の水平方向の相対移動距離が大きくなるほど、通気口３同士が上下方向Ｖに重なり合う面積が図８（Ａ）に示す基本位置に比べて小さくなる。したがって、この場合には、風通しの点で好ましくない。
【００５３】
本実施形態では、板部材１同士の相対位置を上下方向Ｖと水平方向の両方に調節可能であるので、対応する通気口同士が上下方向Ｖに重なり合う面積が小さくなるのを抑制しつつ、遮光の度合いを高めることができる。具体的に、図８（Ｄ）に示すように上下方向Ｖと水平方向の両方に位置調節する場合には、図８（Ｂ）の場合に比べて、板部材１の上下方向Ｖの相対移動距離を小さくすることができ、しかも、図８（Ｃ）の場合に比べて、板部材１の水平方向の相対移動距離を小さくできる。
【００５４】
［上下方向の位置調節手段］
次に、本実施形態の日除け１０における上下方向Ｖの位置調節手段について具体的に説明する。本実施形態の日除け１０では、下段板部材１Ａ及び上段板部材１Ｂの少なくとも一方は、上下方向Ｖにおいて段階的に位置調節可能に構成されている。段階的な位置調節手段としては、種々の構造を採用することができ、特に限定されるものではないが、具体例としては次のような構造を挙げることができる。
【００５５】
図４に示すように、複数の支柱５のそれぞれには、上下方向Ｖに間隔をあけて複数の貫通孔５ａ（少なくとも３つの貫通孔５ａ）が設けられる。図９に示すように、各板部材１の縁には、支柱５の貫通孔５ａと隣の支柱５の貫通孔５ａとの距離に相当する間隔をあけた少なくとも一対の取り付け穴８ａが設けられる。そして、支柱５における所望の高さの貫通孔５ａにボルト８などの固定手段８を挿通し、ボルト８の先端部を下段板部材１Ａの取り付け穴８ａに螺合する。上段板部材１Ｂは、下段板部材１Ａよりも高い位置に取り付けられる。取り付け方法は、下段板部材１Ａと同様である。各支柱５には３つ以上の貫通孔５ａが形成されているので、少なくとも一方の板部材１の高さを変更することができる。
【００５６】
上述した上下方向Ｖの位置調節手段は、あくまでも一例であって、上記の手段に限定されるものではない。
【００５７】
［水平方向の位置調節手段］
次に、本実施形態の日除け１０における水平方向の位置調節手段について具体的に説明する。本実施形態の日除け１０では、複数の下段通気口３Ａ及び複数の上段通気口３Ｂの少なくとも一方の位置を水平方向に調節可能である。水平方向の位置調節手段としては、以下の第１の位置調節手段、第２の位置調節手段、第３の位置調節手段を例示することができるが、これらに限定されるものではない。
【００５８】
（第１の位置調節手段）
複数の支柱５は、下段板部材１Ａ及び上段板部材１Ｂの両サイドに配置されてこれらを支持している。第１の位置調節手段では、支柱５に対する板部材１の固定位置を水平方向にずらす。第１の位置調節手段では、板部材１の両サイドにおいて複数の支柱５に固定される位置を水平方向（例えば第１方向Ｈ１）に段階的に調節する。
【００５９】
図９は、板部材１とこの板部材１を支柱５に固定するための固定手段８を示す概略の平面図である。図１０（Ａ），（Ｂ）は、板部材１を水平方向に段階的に位置調整する第１の位置調節手段を示す平面図である。第１の位置調節手段を採用する場合には、図９に示すように、一対の板部材１の少なくとも一方における縁において、水平方向に間隔をあけた複数の取り付け穴８ａ（２組以上の取り付け穴８ａ）を設ける。図９に示す具体例では、板部材１の対向する一対の縁のそれぞれに、４つ以上の取り付け穴８ａ（２組以上の取り付け穴８ａ）が設けられている。各組における一対の取り付け穴８ａは、支柱５の貫通孔５ａと隣の支柱５の貫通孔５ａとの距離に相当する間隔をあけて設けられている。各組は、他の組に対して水平方向にずれた位置に設けられている。
【００６０】
図１０（Ａ）は、２組の取り付け穴８ａのうちの一方の組の取り付け穴８ａを用いて板部材１が４つの支柱５に支持された状態を示しており、図１０（Ｂ）は、他方の組の取り付け穴８ａを用いて板部材１が４つの支柱５に支持された状態を示している。このように各板部材１における一対の縁のそれぞれに、２組以上の取り付け穴８ａを設けることによって、板部材１を水平方向に段階的に位置調整することができる。
【００６１】
なお、図９及び図１０（Ａ），（Ｂ）に示す本実施形態では、板部材１の４つの縁のそれぞれに取り付け穴８ａが設けられているので、後述する図１３に示す第３の位置調節手段のように、板部材１をそれに直交する軸を中心に所定角度（例えば９０度）回転させることができる。
【００６２】
（第２の位置調節手段）
図１１は、板部材１を水平方向に段階的に位置調整する第２の位置調節手段を示す斜視図である。図１１に示すように、第２の位置調節手段では、板部材１の縁にスペーサ６を配置して板部材１の水平方向の位置をずらす。図１１に示す第２の位置調節手段では、下段板部材１Ａ及び上段板部材１Ｂの少なくとも一方を、スペーサ６によって水平方向において段階的に位置調節する。
【００６３】
スペーサ６は、板部材１の縁に沿って配置される部材である。スペーサ６は、図１１に示すような棒状の部材であってもよく、また、図１２（Ｂ）に示すような枠状の部材であってもよく、他の形状であってもよい。スペーサ６は、板部材１の縁と支柱５との間に介在して板部材１の水平方向の位置をずらすことができるように、水平方向の厚みＳを有しているものであればよい。
【００６４】
図１２（Ａ）は、板部材１の何れの縁にもスペーサ６が設けられていない状態を示しており、図１２（Ｂ）は、板部材１の１つの縁にスペーサ６が取り付けられた状態を示している。
【００６５】
図１２（Ｂ）に示す板部材１は、４つの縁にガイド材１１を有している。４つのガイド材１１は、複数の通気口３と複数の遮光部４が形成された板部材本体１２の周りを囲むように設けられている。各ガイド材１１は、水平方向の厚みよりも上下方向Ｖの高さの方が大きい扁平な形状を有しているが、これに限られない。各ガイド材１１の高さは、板部材本体１２の厚みよりも大きい。
【００６６】
図１２（Ｂ）に示す具体例では、スペーサ６は、ガイド材１１の外側面、上面及び下面を覆うような形状を有している。言い換えると、スペーサ６は、ガイド材１１が嵌合する溝を有しているので、板部材１の縁に簡単に取り付けることができる。
【００６７】
図１に示す具体例では、下段板部材１Ａにおける１つの縁と支柱５との間にスペーサ６が設けられており、上段板部材１Ｂにおける１つの縁と支柱５との間にもスペーサ６が設けられている。図１では、これらのスペーサ６が同じサイドに設けられているので、結果的に、下段板部材１Ａと上段板部材１Ｂの水平方向の相対位置にずれは生じていない。
【００６８】
（第３の位置調節手段）
第３の位置調節手段では、下段板部材１Ａ及び上段板部材１Ｂの少なくとも一方を、その板部材１に直交する軸（上下方向Ｖを向いた軸）を中心に９０度回転させることによって、下段通気口３Ａと上段通気口３Ｂの相対位置を水平方向に調節する。また、第３の位置調節手段では、下段板部材１Ａ及び上段板部材１Ｂの少なくとも一方を裏返すことによって、下段通気口３Ａと上段通気口３Ｂの相対位置を水平方向に調節してもよい。すなわち、板部材１の上面と下面とが逆になるように裏返す。これらの何れにおいても、図１３に示すようにその板部材１における複数の通気口３の位置を水平方向に調節することができる。
【００６９】
図１３に示す具体例では、操作前（回転前）に通気口３であった部位は、９０度回転させた後には遮光部４となり、操作前（回転前）に遮光部４であった部位は、９０度回転させた後には通気口３となる。同様に、操作前（裏返す前）に通気口３であった部位は、裏返した後には遮光部４となり、操作前（裏返す前）に遮光部４であった部位は、裏返した後には通気口３となる。すなわち、図１３に示す操作を行うことによって、通気口３と遮光部４の位置を反転することができる。
【００７０】
９０度回転させて位置調節する第３の位置調節手段を採用することができる板部材１は、板部材１における升目の総数は４の倍数であり、且つ、各板部材１Ａが正方形である。また、裏返して位置調節する第３の位置調節手段を採用することができる板部材１は、各列における通気口３の数が偶数である。
【００７１】
［遮光方法の具体例］
本実施形態では、上記のような上下方向の位置調節手段と、水平方向の位置調節手段（第１〜第３の位置調節手段）とを組合せることによって種々の日射角度θに対応することができる。以下では、これらの位置調節手段を用いた遮光方法の具体例について説明する。
【００７２】
本実施形態では、例えば空調負荷のピーク時の日射角度θを対象にして、一対の板部材１の相対位置を調節する場合を例に挙げて説明する。
【００７３】
本実施形態における遮光の仕組みは、次の通りである。すなわち、図１４において、設置地域の空調負荷ピーク時の日射角度をθとする。図１４では、設置地域の空調負荷ピーク時の日射角度θが６０度である場合を例示している。下段板部材１Ａと上段板部材１Ｂの間隔Ｌを「ｔａｎθ・Ｘ」とすれば、上段板部材１Ｂの遮光範囲は下段板部材１Ａの通気口３の範囲と同じになる。Ｘは、通気口３及び遮光部４の長さである。例えば日射角度θが６０度の場合、間隔Ｌは√３Ｘに設定される。そして、図１４（Ａ）に示すように、一方の板部材１（例えば下段板部材１Ａ）は、間隔Ｌが「√６・Ｘ」となるように下方に段階的に位置調節可能とされている。図１４（Ａ）に示すように、上下段の板部材１の間隔Ｌを変えると、上段板部材１Ｂの遮光部４Ｂによって形成される下段板部材１Ａにおける日陰部分（日陰領域）は水平方向にずれる。
【００７４】
板部材１の升目の大きさ（通気口３の大きさ、遮光部４の大きさ）とスペーサ６のサイズの関係は、特に限定されるものではないが、図１４（Ｂ），（Ｃ）に示す以下の具体例では、通気口３の長さ（遮光部４の長さ）とスペーサ６の幅Ｓとを、例えば３：１の比率にする場合を例示する。具体的には、升目が一辺５０ｍｍの正方形である場合、スペーサ６の幅Ｓは升目の１／３の寸法である１６．６６ｍｍとする。
【００７５】
図１４（Ｂ）に示すように、下段板部材１Ａの縁に設けるスペーサ６と上段板部材１Ｂの縁に設けるスペーサ６とが平面視で同じ位置に配置されると、上下段の互いの升目にずれは生じない。すなわち、対応する通気口３Ａ，３Ｂ同士は基本位置にある。一方、図１４（Ｃ）に示すように、下段板部材１Ａの縁に設けるスペーサ６と上段板部材１Ｂの縁に設けるスペーサ６とが平面視で板部材１を介した反対の位置に配置されると、上下段の互いの升目は、升目の大きさの１／３の寸法だけ水平方向にずれる。
【００７６】
ここで、次のような種々の要因によって個別の室外機１００ごとに日射の観点で特異性を有する。具体的には、太陽光の当り方は設置する地域と設置する方位により異なる。また、設置する地域により日射角が異なる。また、設置する方位により日除け１０における升目の各辺と太陽光との相関が異なる。太陽光の向きに対して日除け１０の設置方位は全方位に発生する可能性がある。本実施形態では、板部材１が正方形であり、複数の通気口３が正方形であり、複数の遮光部４が通気口３と同じ形状の正方形である。したがって、地域、時期、室外機１００の設置向きなどの変動要因に起因して板部材１に対する太陽光の角度が９０度の範囲で変わる場合に対応できれば、板部材１の向きを板部材１に直交する軸を中心に９０度回転させることによって全方位に対応できることになる。
【００７７】
このように、地域、時期、室外機１００の設置向きなどに応じて、日除け１０に対する太陽光の角度が９０度の範囲で変化する。この９０度の範囲の変化に対して、遮光の度合いを高いレベルで維持する方法としては、次のような手段を用いることができる。以下の具体例では、板部材１の上下方向Ｖの位置調節と、板部材１の回転操作と、スペーサ６による位置調節とを用いることによって、板部材１の縁に対して平面視で太陽光が０度の角度で入射する場合、±２２．５度の角度で入射する場合、±４５度の角度で入射する場合のそれぞれにおいて、高い遮光度合いを確保することができる。具体的には次の通りである。
【００７８】
図１５に示すように、平面視において、太陽光が板部材１の縁（各遮光部４の縁Ｅ）に対して平行に入射する場合を「ずれ角度：０度」とする。平面視において、太陽光が遮光部４の縁Ｅに対して＋２２．５度の角度で入射する場合を「ずれ角度：＋２２．５度」とする。「ずれ角度：＋２２．５度」の場合、太陽光は、平面視において、縁Ｅに直交する方向の第１サイドＳ１側に、縁Ｅに対して２２．５度の角度で傾斜している。平面視において、太陽光が遮光部４の縁Ｅに対して−２２．５度の角度で入射する場合を「ずれ角度：−２２．５度」とする。「ずれ角度：−２２．５度」の場合、太陽光は、平面視において、縁Ｅに直交する方向の第２サイドＳ２側に、縁Ｅに対して２２．５度の角度で傾斜している。第２サイドＳ２は、第１サイドＳ１とは反対方向である。同様に、平面視において、太陽光が遮光部４の縁Ｅに対して＋４５度の角度で入射する場合を「ずれ角度：＋４５度」とし、平面視において、遮光部４の縁Ｅに対して−４５度の角度で入射する場合を「ずれ角度：−４５度」とする。
【００７９】
図１４及び図１５に示すように、上段板部材１Ｂの遮光部４Ｂのａ点の近傍を通過した光は、上記のそれぞれのずれ角度の場合、下段板部材１Ａにおいては、図１５に示す点ｂに到達する。このように上段板部材１Ｂの遮光部４Ｂによって下段板部材１Ａにおいて日陰となる領域は、ずれ角度に応じて変化する。そして、それぞれのずれ角度の場合、次のような位置調節をすることによって、太陽光を効果的に遮ることができる。
【００８０】
図１６及び図１７に示すように、「ずれ角度：０度」の場合には、一対の板部材１の相対位置を図１６に示す配置Ａとし、「ずれ角度：＋２２．５度」の場合には、一対の板部材１の相対位置を図１６に示す配置Ｂとし、「ずれ角度：−２２．５度」の場合には、一対の板部材１の相対位置を図１６に示す配置Ｃとし、「ずれ角度：±４５度」の場合には、一対の板部材１の相対位置を図１６に示す配置Ｄとする。
【００８１】
図１６に示すように、配置Ａでは、スペーサ６は、下段板部材１Ａと上段板部材１Ｂでは、同じサイド（図１６では、第１サイドＳ１）に配置される。配置Ａでは、各板部材１の回転角度は０度である。「回転角度０度」においては、下段板部材１Ａの各列とこれに対応する上段板部材１Ｂの列とは、通気口３と遮光部４の並び方が同じである。また、配置Ａでは、下段板部材１Ａと上段板部材１Ｂの間隔は√３・Ｘとする。
【００８２】
図１６に示すように、配置Ｂでは、スペーサ６は、上段板部材１Ｂにおいては第１サイドＳ１の縁である第１位置に配置される一方で、下段板部材１Ａにおいては第２サイドＳ２の縁である第２位置に配置される。配置Ｂでは、各板部材１の回転角度は０度である。配置Ｂでは、下段板部材１Ａと上段板部材１Ｂの間隔は√３・Ｘとする。
【００８３】
図１６に示すように、配置Ｃでは、スペーサ６は、上段板部材１Ｂにおいては第２サイドＳ２の縁である第２位置に配置される一方で、下段板部材１Ａにおいては第１サイドＳ１の縁である第１位置に配置される。配置Ｃでは、各板部材１の回転角度は０度である。配置Ｃでは、下段板部材１Ａと上段板部材１Ｂの間隔は√３・Ｘとする。
【００８４】
図１７に示すように、配置Ｄでは、スペーサ６は、下段板部材１Ａと上段板部材１Ｂでは、同じサイド（図１７では、第１サイドＳ１）に配置される。配置Ｄでは、下段板部材１Ａ及び上段板部材１Ｂの一方を他方に対して９０度回転させて升目を反転させる。配置Ｄでは、下段板部材１Ａと上段板部材１Ｂの間隔は√６・Ｘとする。
【００８５】
以上のような配置Ａ〜Ｄを選択することによって太陽光が日除け１０に対して９０度の範囲で変わったとしても、高い遮光性を維持することができる。
【００８６】
［実施形態のまとめ］
本実施形態では、一対の板部材１の相対位置を調節することによって、設置位置に応じた遮光の調節が可能である。本実施形態では、室外機１００の大きさに応じて１つ又は複数の板部材ユニットが用いられる。板部材ユニットは、下段板部材１Ａと１枚の上段板部材１Ｂとによって構成される。板部材ユニットは、スペーサ６を備えていてもよい。日除け１０は、一対の板部材１と、複数（例えば４本）の支柱５を備える。各板部材１は、千鳥格子状の升目が形成された板材と、４つの縁に設けられる側面ガイド材１１とを組合せた構造とすることができる。
【００８７】
本実施形態では、下段板部材１Ａと上段板部材１Ｂは、通気口３と遮光部４の基本的な配列が同じである。これにより、風通しが良好になる。本実施形態の遮光の原理は、入射角度θに応じて、上段板部材１Ｂの遮光範囲と下段板部材１Ａの通気口の範囲とを合わせることにより、室外機１００側に光の一部又は全部が通らないようにするものである。
【００８８】
本実施形態では、各板部材１において、通気口３の大きさと遮光部４の大きさがほぼ同じである。ただし、筋材７の部分も遮光機能を有するので、遮光部４の大きさは、通気口３の大きさよりも若干大きくなってもよい。
【００８９】
本実施形態では、板部材１は、複数の通気口３と複数の遮光部４が形成された板部材本体１２（千鳥格子状の升目が形成された平板）とこれの４つの縁に設けられた側面ガイド材１１とを組合せた形状を有している。板部材１は、樹脂の一体成形によって作製されるのが好ましい。
【００９０】
本実施形態では、一対の板部材１Ａ，１Ｂが設けられており、複数の下段通気口３Ａに対応する複数の上段通気口３Ｂが設けられているので、下段通気口３Ａと上段通気口３Ｂを通じて上下方向に風がスムーズに通過する。これにより、良好な風通しを確保することができる。
【００９１】
本実施形態では、複数の下段通気口３Ａのピッチと複数の上段通気口３Ｂのピッチは同じである。したがって、下段板部材１Ａと上段板部材１Ｂの相対位置を調節したときに、下段通気口３Ａとこれに対応する上段通気口３Ｂの相対位置を、板部材全体において同じように変えることができる。これにより、遮光の度合いを調節しやすくなる。
【００９２】
本実施形態では、下段通気口３Ａと上段通気口３Ｂは同じ形で且つ同じ大きさである。この場合には、隣り合う下段通気口３Ａ同士の間隔と隣り合う上段通気口３Ｂ同士の間隔もほぼ同じになる。したがって、下段板部材１Ａと上段板部材１Ｂの相対位置を調節したときに、上下の対応する通気口同士の全ての組において、遮光の度合いがほぼ同じになるように調節することができる。
【００９３】
本実施形態では、下段板部材１Ａ及び上段板部材１Ｂのそれぞれが正方形であり、下段板部材１Ａにおいて、列の本数が偶数であり、各列における下段通気口３Ａの数が偶数である。また、上段板部材１Ｂにおいて、列の本数が偶数であり、各列における上段通気口３Ｂの数が偶数である。この構成では、下段通気口３Ａと上段通気口３Ｂの相対位置を水平方向に調節するときに、例えば後述する図１３に示すように板部材を９０度回転させるという調節手段を採用することができる。
【００９４】
本実施形態では、下段板部材１Ａ及び上段板部材１Ｂの少なくとも一方は、スペーサ６によって水平方向において段階的に位置調節可能に構成されている。この構成では、スペーサ６を板部材１の縁に沿って配置するという簡単な構造で、下段通気口３Ａと上段通気口３Ｂの相対位置を水平方向に調節することができる。
【００９５】
本実施形態では、下段板部材１Ａ及び上段板部材１Ｂの両サイドに配置されてこれらを支持する複数の支柱５を備え、下段板部材１Ａ及び上段板部材１Ｂの少なくとも一方は、その両サイドにおいて複数の支柱５に固定される位置を前記一方向に段階的に調節可能である。この構成では、下段通気口３Ａと上段通気口３Ｂの相対位置を水平方向に調節するときに、例えば後述する図１０に示すように支柱５に対する板部材の相対位置を調節するという調節手段を採用することができる。
【００９６】
［変形例］
以上、本発明の実施形態について説明したが、本発明はこれらの実施形態に限定されるものではなく、その趣旨を逸脱しない範囲で種々変更、改良等が可能である。
【００９７】
図１８（Ａ）は、本実施形態の変形例１における板部材１を示す平面図であり、図１８（Ｂ）は、本実施形態の変形例２における板部材１を示す平面図であり、図１８（Ｃ）は、本実施形態の変形例３における板部材１を示す平面図である。
【００９８】
図１８（Ａ）に示す変形例１では、各板部材１は、正方形ではなく、例えば長方形などの他の形状である。図１８（Ｂ）に示す変形例２及び図１８（Ｃ）に示す変形例３では、各板部材１において通気口３及び遮光部４は、正方形ではなく、例えば長方形などの他の形状（例えばスリット形状）を有している。図１８（Ｂ）に示す変形例２では、板部材１において、通気口３が縦横に配列されておらず、水平方向の一方向（例えば第１方向Ｈ１）にのみに複数の通気口３が配列されている。
【００９９】
図１９（Ａ），（Ｂ）は、板部材１の寸法調節をする手順を説明する概略図である。室外機１００の大きさに応じて、板部材１は、その一部を、図１９（Ｂ）に示すようにニッパなどの工具を用いて切断して用いることもできる。そして、切断された縁には、ガイド材１１が設けられていないので、枠状のスペーサ６によって切断面を覆うようにしてもよい。すなわち、スペーサ６がガイド材１１の機能を果たす。ガイド材１１は、板部材１の剛性を高める機能を有する。また、この場合のガイド材１１は、支柱５への取り付け用の穴を有する。
【符号の説明】
【０１００】
１  板部材
１Ａ  下段板部材
１Ｂ  上段板部材
３  通気口
３Ａ  下段通気口
３Ｂ  上段通気口
４  遮光部
４Ａ  下段遮光部
４Ｂ  上段遮光部
５  支柱
６  スペーサ
７  筋材
８  固定部材
１０  室外機の日除け
１００  室外機
１０１  室外機の空気吹出口
【図１】
2016011817.tif 000003
【図２】
2016011817.tif 000004
【図３】
2016011817.tif 000005
【図４】
2016011817.tif 000006
【図５】
2016011817.tif 000007
【図６】
2016011817.tif 000008
【図７】
2016011817.tif 000009
【図８】
2016011817.tif 000010
【図９】
2016011817.tif 000011
【図１０】
2016011817.tif 000012
【図１１】
2016011817.tif 000013
【図１２】
2016011817.tif 000014
【図１３】
2016011817.tif 000015
【図１４】
2016011817.tif 000016
【図１５】
2016011817.tif 000017
【図１６】
2016011817.tif 000018
【図１７】
2016011817.tif 000019
【図１８】
2016011817.tif 000020
【図１９】
2016011817.tif 000021